Podtech/llm-jp-corpus-v4-ja_patent huggingface dataset:
【手続補正書】
【提出日】令和1年9月12日(2019.9.12)
【手続補正１】
【補正対象書類名】特許請求の範囲
【補正対象項目名】全文
【補正方法】変更
【補正の内容】
【特許請求の範囲】
【請求項１】
データが非直交送信の一部として送信されるという情報に従って、前記データを符号化するように適合されたエンコーダと、
前記エンコーダによって出力された前記符号化されたデータをワイヤレス送信するように適合された送信機回路と
を備え、
前記符号化されたデータが、前記非直交送信の一部として非直交的に結合され、
符号化されるべき前記データが、第1のデバイス用の第1のデータストリームと、第2のデバイス用の第2のデータストリームとを含み、
前記エンコーダが、前記第1のデータストリームおよび前記第2のデータストリームを符号化し、非直交的に結合するためのジョイントエンコーダを含み、
前記送信機回路が、前記符号化され非直交的に結合された第1のデータストリームおよび第2のデータストリームをダウンリンク送信としてワイヤレス送信し、
前記ジョイントエンコーダが、
前記第1のデータストリームと前記第2のデータストリームとの間の電力割振りを決定し、
前記第2のデータストリームからの干渉がないと仮定しながら、前記第1のデータストリームの第1のプリコーディング行列を選択し、
前記第1のデータストリームによって引き起こされる干渉を考慮しながら、前記第2のデータストリームの第2のプリコーディング行列を選択する
ことによって、前記第1のデータストリームおよび前記第2のデータストリームを符号化し、非直交的に結合する、
ワイヤレス通信デバイス。
【請求項２】
前記ジョイントエンコーダが、前記第1のデータストリームおよび前記第2のデータストリームに重畳コーディングまたはダーティペーパーコーディングのうちの少なくとも1つを用いる、請求項1に記載のワイヤレス通信デバイス。
【請求項３】
ワイヤレス通信デバイス上で動作可能な方法であって、
ある量のデータのうちの少なくともいくつかが非直交送信の一部として送信されるという判断に応答して、前記ある量のデータを符号化するステップと、
前記符号化されたデータを送信するステップであって、前記符号化されたデータが前記非直交送信の一部として非直交的に結合される、ステップと
を含み、
前記ある量のデータが、第1のデバイスに宛てられた第1のデータストリームと、第2のデバイスに宛てられた第2のデータストリームとを含み、前記符号化されたデータを送信するステップが、
前記第1のデータストリームを前記第2のデータストリームと非直交的に結合するステップと、
前記非直交的に結合された第1のデータストリームおよび第2のデータストリームをダウンリンク送信として送信するステップと
を含み、
前記ある量のデータを符号化するステップが、
前記第1のデータストリームと前記第2のデータストリームとの間の電力割振りを決定するステップと、
前記第2のデータストリームからの干渉がないと仮定しながら、前記第1のデータストリームの第1のプリコーディング行列を選択するステップと、
前記第1のデータストリームによって引き起こされる干渉を考慮しながら、前記第2のデータストリームの第2のプリコーディング行列を選択するステップと、
前記選択されたそれぞれのプリコーディング行列に従って、前記第1のデータストリームおよび前記第2のデータストリームを符号化し、結合するステップと
を含む、方法。
【請求項４】
前記選択されたそれぞれのプリコーディング行列に従って、前記第1のデータストリームおよび前記第2のデータストリームを符号化し、結合するステップが、
前記第1のデータストリームおよび前記第2のデータストリームに重畳コーディングまたはダーティペーパーコーディングのうちの少なくとも1つを用いるステップ
を含む、請求項3に記載の方法。
【請求項５】
前記第1のデータストリームによって引き起こされる干渉を考慮しながら、前記第2のデータストリームの前記第2のプリコーディング行列を選択するステップが、
前記第2のデータストリームのための所望のコンスタレーションを決定するステップと、
前記第1のデータストリームが前記第2のデータストリームと結合されるときに前記第1のデータストリームによって引き起こされることになる前記第2のデータストリームに対する干渉を決定するステップと、
前記第1のデータストリームによって引き起こされる前記干渉を伴う前記第2のデータストリームのための新しいコンスタレーションを追加することが、前記第2のデータストリームのための前記所望のコンスタレーションをもたらすように、前記第2のデータストリームのための前記新しいコンスタレーションを計算するステップと
を含む、請求項3に記載の方法。
【手続補正書】
【提出日】令和1年9月12日(2019.9.12)
【手続補正１】
【補正対象書類名】特許請求の範囲
【補正対象項目名】全文
【補正方法】変更
【補正の内容】
【特許請求の範囲】
【請求項１】
第１の事業体が送出する第１のサービス信号を含む、地上デジタルテレビジョン放送、ＢＳデジタル放送および広帯域ＣＳデジタル放送の少なくとも１つを受信し、前記第１のサービス信号に含まれる、暗号化された第１キー（Ｋｗ）を含む前記第１の事業体の第１制御情報（ＥＭＭ）、暗号化された第２キー（Ｋｓ）を含む前記第１の事業体の第２制御情報（ＥＣＭ）ならびにスクランブルコンテンツを取得するチューナ部と、
前記チューナ部から出力された前記スクランブルコンテンツをデスクランブルするデスクランブラと、
前記チューナ部、前記デスクランブラを制御する制御部と、
前記制御部により制御され、前記第１の事業体の前記第１制御情報（ＥＭＭ）から、固有の第３キー（Ｋｍ）を用いて前記第１キー（Ｋｗ）を取得し、前記第１の事業体の前記第２制御情報（ＥＣＭ）から、取得された前記第１キー（Ｋｗ）を用いて、前記デスクランブラに与えるための前記第２キー（Ｋｓ）を取得する、ＣＡＳモジュールと、
前記第１の事業体の前記第１制御情報（ＥＭＭ）を入力する第１バッファと前記第１の事業体の前記第２制御情報（ＥＣＭ）を入力する第２バッファと、
を備え、
前記制御部は、
前記チューナ部により受信した前記第１の事業体の第１制御情報（ＥＭＭ）に対応した所定数の第１コマンド送信をＣＡＳモジュールに対して行うまでの間に、前記チューナ部により受信した前記第１の事業体の第２制御情報（ＥＣＭ）に対応した第２コマンド送信を前記ＣＡＳモジュールに対して行い、
前記第１バッファに前記チューナ部により受信した前記第１の事業体の前記第１制御情報（ＥＭＭ）を入力してから、前記第２バッファに前記第１の事業体の前記第２制御情報（ＥＣＭ）が入力されていない場合には、前記ＣＡＳモジュールに対して前記第１の事業体の第１コマンド送信を行い、
前記第２バッファに前記第１の事業体の前記第２制御情報（ＥＣＭ）が入力されている場合には、前記第１の事業体の前記第１制御情報（ＥＭＭ）に対応する前記第１コマンドを前記ＣＡＳモジュールに送信する前に、前記第１の事業体の前記第２制御情報（ＥＣＭ）に対応した第２コマンド送信を前記ＣＡＳモジュールに対して行う、受信装置。
【請求項２】
前記チューナ部は、前記第１の事業体が放送する、前記第１のサービス信号から、第ｎ（ｎは整数）の事業体の第１制御情報（ＥＭＭ）を含む第ｎのサービス信号までの、ｎ通りのサービス信号を受信可能であり、
前記第１バッファは、前記制御部により前記第１の事業体の前記第１制御情報（ＥＭＭ）から前記第ｎの事業体の前記第１制御情報（ＥＭＭ）のｎ通りの前記第１制御情報（ＥＭＭ）を入力するために、ｎを超えるサイズを持つ請求項１に記載の受信装置。
【手続補正２】
【補正対象書類名】明細書
【補正対象項目名】０００１
【補正方法】変更
【補正の内容】
【０００１】
実施形態の説明は、放送信号を受信する受信装置に関する。
【手続補正３】
【補正対象書類名】明細書
【補正対象項目名】００１４
【補正方法】変更
【補正の内容】
【００１４】
そこで本実施形態においては、例えば厳密に１つのＣＡＳモジュールであったとしても、デスクランブルに必要なＥＣＭおよびＥＭＭの処理を取りこぼすことなく、契約番組の視聴を可能とし得る、受信装置を提供することを目的とする。
【手続補正４】
【補正対象書類名】明細書
【補正対象項目名】００１５
【補正方法】変更
【補正の内容】
【００１５】
実施形態によれば、第１の事業体が送出する第１のサービス信号を含む、地上デジタルテレビジョン放送、ＢＳデジタル放送および広帯域ＣＳデジタル放送の少なくとも１つを受信し、前記第１のサービス信号に含まれる、暗号化された第１キー（Ｋｗ）を含む前記第１の事業体の第１制御情報（ＥＭＭ）、暗号化された第２キー（Ｋｓ）を含む前記第１の事業体の第２制御情報（ＥＣＭ）ならびにスクランブルコンテンツを取得するチューナ部と、
前記チューナ部から出力された前記スクランブルコンテンツをデスクランブルするデスクランブラと、
前記チューナ部、前記デスクランブラを制御する制御部と、
前記制御部により制御され、前記第１の事業体の前記第１制御情報（ＥＭＭ）から、固有の第３キー（Ｋｍ）を用いて前記第１キー（Ｋｗ）を取得し、前記第１の事業体の前記第２制御情報（ＥＣＭ）から、取得された前記第１キー（Ｋｗ）を用いて、前記デスクランブラに与えるための前記第２キー（Ｋｓ）を取得する、ＣＡＳモジュールと、
前記第１の事業体の前記第１制御情報（ＥＭＭ）を入力する第１バッファと前記第１の事業体の前記第２制御情報（ＥＣＭ）を入力する第２バッファと、
を備え、
前記制御部は、
前記第１バッファに前記チューナ部により受信した前記第１の事業体の前記第１制御情報（ＥＭＭ）を入力してから、前記第２バッファに前記第１の事業体の前記第２制御情報（ＥＣＭ）が入力されていない場合には、前記ＣＡＳモジュールに対して前記第１の事業体の第１コマンド送信を行い、
前記第２バッファに前記第１の事業体の第２制御情報（ＥＣＭ）が入力されている場合には、前記第１の事業体の前記第１制御情報（ＥＭＭ）に対応する前記第１コマンドを前記ＣＡＳモジュールに送信する前に、前記第１の事業体の前記第２制御情報（ＥＣＭ）に対応した第２コマンド送信を前記ＣＡＳモジュールに対して行う、受信装置を提供できる。
【手続補正書】
【提出日】令和1年9月11日(2019.9.11)
【手続補正１】
【補正対象書類名】特許請求の範囲
【補正対象項目名】全文
【補正方法】変更
【補正の内容】
【特許請求の範囲】
【請求項１】
空対地（ＡＴＧ）ネットワークの種々のセルを通過できる飛行中の航空機に無線通信を提供するＡＴＧネットワークであって、
エネルギを水平線に向けてフォーカスさせる第１放射を画定する第１ＡＴＧ基地局と、
エネルギを水平線に向けてフォーカスさせる第２放射を画定する第２ＡＴＧ基地局と、
複数の追加のＡＴＧ基地局であって、当該複数の追加のＡＴＧ基地局の各々がエネルギを水平線に向けてフォーカスさせる対応する放射パターンを画定する、複数の追加のＡＴＧ基地局と、を備え、
第１高度と第２高度との間に画定されたＡＴＧ通信レイヤにおいて前記ＡＴＧネットワークを介して前記飛行中の航空機のアンテナアセンブリと通信するための、少なくとも部分的に重複する複数のカバレッジエリアを画定するために、前記第１ＡＴＧ基地局、前記第２ＡＴＧ基地局、及び前記複数の追加のＡＴＧ基地局が互いに離間しており、
複数の地上基地局は、前記第１高度より下の地上通信レイヤにおいて地上通信ネットワークを介して主に通信するように構成されており、
前記地上通信レイヤにおいて前記複数の地上基地局によって使用されるのと同一のラジオ周波数（ＲＦ）スペクトルを用いて通信を行うように、前記第１ＡＴＧ基地局、前記第２ＡＴＧ基地局、及び前記複数の追加のＡＴＧ基地局の各々が構成されている、
ＡＴＧネットワーク。
【請求項２】
前記第１ＡＴＧ基地局、前記第２ＡＴＧ基地局、及び前記複数の追加のＡＴＧ基地局のうち、サービスを提供している前記ＡＴＧ基地局は、前記飛行中の航空機がその上方に位置する前記地上通信レイヤの一部分の前記複数の地上波基地局の各々のカバレッジエリアの外側に、地理的に位置している間、前記飛行中の航空機と通信を行う、
請求項１に記載のＡＴＧネットワーク。
【請求項３】
前記第２高度の上に配置された高高度サービスレイヤを更に備える、
請求項１に記載のＡＴＧネットワーク。
【請求項４】
前記高高度サービスレイヤの外側の少なくとも１つの資産との無線通信をサポートするために、高高度サービス用飛行体が前記第２の高度の上に配置される、
請求項３に記載のＡＴＧネットワーク。
【請求項５】
前記少なくとも１つの資産は、前記ＡＴＧ通信レイヤ内の前記飛行中の航空機を含む、  請求項４に記載のＡＴＧネットワーク。
【請求項６】
前記少なくとも１つの資産は、前記第１ＡＴＧ基地局、前記第２ＡＴＧ基地局、及び前記複数の追加のＡＴＧ基地局のうち、選択された１つを含む、
請求項４に記載のＡＴＧネットワーク。
【請求項７】
衛星との無線通信をサポートするために、高高度サービス用飛行体が前記第２高度の上に配置される、
請求項３に記載のＡＴＧネットワーク。
【請求項８】
前記ＡＴＧ通信レイヤ内の前記飛行中の航空機との航空機リンクおよび衛星との衛星リンクを形成するために、高高度サービス用飛行体が前記第２高度の上に配置される、
請求項３に記載のＡＴＧネットワーク。
【請求項９】
前記高高度サービス用飛行体が、前記第１ＡＴＧ基地局、前記第２ＡＴＧ基地局、及び前記複数の追加のＡＴＧ基地局のうち、選択された１つとＡＴＧリンクを形成する、
請求項８に記載のＡＴＧネットワーク。
【請求項１０】
前記第１ＡＴＧ基地局、前記第２ＡＴＧ基地局、及び前記複数の追加のＡＴＧ基地局のうち、選択された１つとＡＴＧリンクを形成し、かつ、前記ＡＴＧ通信レイヤ内の前記飛行中の航空機との航空機リンクを形成するために、高高度サービス用飛行体が前記第２高度の上に配置される、
請求項３に記載のＡＴＧネットワーク。
【請求項１１】
前記高高度サービス用飛行体が、衛星との衛星リンクを形成する、
請求項１０に記載のＡＴＧネットワーク。
【請求項１２】
種々のセルにおける空対地（ＡＴＧ）無線通信をサポートするためのシステムであって、
アンテナアセンブリを含む飛行中の航空機と、
複数のＡＴＧ基地局であって、当該複数のＡＴＧ基地局の各々がエネルギを水平線に向けてフォーカスさせる対応する放射パターンを画定し、第１高度と第２高度との間に画定されたＡＴＧ通信レイヤにおいてＡＴＧネットワークを介して前記アンテナアセンブリと通信するための、少なくとも部分的に重複する複数のカバレッジエリアを画定するために、該複数のＡＴＧ基地局が互いに離間している、前記複数のＡＴＧ基地局と、
前記第２高度の上の高高度サービスレイヤに配置された高高度サービス用飛行体と、
前記第１高度より下の地上通信レイヤにおいて地上通信ネットワークを介して主に通信するように構成された複数の地上基地局と、を備え、
前記地上通信レイヤとＡＴＧ通信レイヤにおいて同一のラジオ周波数（ＲＦ）スペクトルを用いて通信を行うように、前記複数の地上基地局と前記複数のＡＴＧ基地局の各々がそれぞれ構成されている、
システム。
【請求項１３】
前記複数のＡＴＧ基地局のうち、サービスを提供している前記ＡＴＧ基地局は、前記飛行中の航空機がその上方に位置する前記地上通信レイヤの一部分の前記複数の地上波基地局の各々のカバレッジエリアの外側に、地理的に位置している間、前記飛行中の航空機と通信を行う、
請求項１２に記載のシステム。
【請求項１４】
前記高高度サービス用飛行体は、前記高高度サービスレイヤの外側の少なくとも１つの資産との無線通信をサポートする、
請求項１３に記載のシステム。
【請求項１５】
前記少なくとも１つの資産は、前記ＡＴＧ通信レイヤ内の前記飛行中の航空機を含む、  請求項１４に記載のシステム。
【請求項１６】
前記少なくとも１つの資産は、前記第１ＡＴＧ基地局、前記第２ＡＴＧ基地局、及び前記複数の追加のＡＴＧ基地局のうち、選択された１つを含む、
請求項１４に記載のシステム。
【請求項１７】
衛星との無線通信をサポートするために、前記高高度サービス用飛行体が前記第２高度の上に配置される、
請求項１３に記載のシステム。
【請求項１８】
前記ＡＴＧ通信レイヤ内の前記飛行中の航空機との航空機リンクおよび衛星との衛星リンクを形成するために、前記高高度サービス用飛行体が前記第２高度の上に配置される、
請求項１３に記載のシステム。
【請求項１９】
前記高高度サービス用飛行体が、前記複数のＡＴＧ基地局のうち、選択された１つとＡＴＧリンクを形成する、
請求項１８に記載のシステム。
【手続補正書】
【提出日】令和1年8月30日(2019.8.30)
【手続補正１】
【補正対象書類名】特許請求の範囲
【補正対象項目名】全文
【補正方法】変更
【補正の内容】
【特許請求の範囲】
【請求項１】
遊技者による動作に応じて演出制御の状態を変化させることが可能な遊技機であって、
遊技者による動作を検出する動作検出手段と、
所定期間中において前記動作検出手段により検出された動作に応じて、第１演出状態を変化可能な第１演出状態変化手段と、
特定期間中において前記動作検出手段により検出された動作に応じて、前記第１演出状態の変化を制限し、第２演出状態を変化可能な第２演出状態変化手段と、
前記第２演出状態変化手段により前記第１演出状態の変化が制限されている状態において、当該制限がされていることを特定可能に報知する報知手段と、を備える、
ことを特徴とする、遊技機。
【手続補正２】
【補正対象書類名】明細書
【補正対象項目名】０００６
【補正方法】変更
【補正の内容】
【０００６】
（Ａ） 遊技者による動作に応じて演出制御の状態を変化させることが可能な遊技機であって、
遊技者による動作を検出する動作検出手段と、
所定期間中において前記動作検出手段により検出された動作に応じて、第１演出状態を変化可能な第１演出状態変化手段と、
特定期間中において前記動作検出手段により検出された動作に応じて、前記第１演出状態の変化を制限し、第２演出状態を変化可能な第２演出状態変化手段と、
前記第２演出状態変化手段により前記第１演出状態の変化が制限されている状態において、当該制限がされていることを特定可能に報知する報知手段と、を備える、
ことを特徴とする。
（１）  また、遊技者による動作（操作等）に応じて演出制御（演出制御用マイクロコンピュータ１００による演出制御）の状態を変化させることが可能な遊技機（パチンコ遊技機１等）であって、
遊技者による動作（十字キー７２の動作等）を検出する動作検出手段（キーセンサ７３等）と、
所定期間中（図１４（Ａ）の通常背景演出モード中）において前記動作検出手段により検出された動作に応じて、第１演出状態（音量、光量の設定状態）を変化可能な第１演出状態変化手段（演出制御用マイクロコンピュータ１００、図１６のＳ９０５等）と、
特定期間中（図１４（Ｃ）〜（Ｆ）の特殊背景演出モード中）において前記動作検出手段により検出された動作に応じて、前記第１演出状態の変化を制限し（図１４（Ｃ）〜（Ｆ）のように音量、光量の設定状態を変化不可能に制限する）、第２演出状態（操作キャラクタ９７および背景画像の表示状態）を変化可能（図１４（Ｃ）〜（Ｆ）のように操作キャラクタ９７および特殊背景画像を用いた特殊背景演出を実行する）な第２演出状態変化手段（演出制御用マイクロコンピュータ１００、図１６のＳ９１２〜Ｓ９１５等）とを備えるようにしてもよい。
【手続補正書】
【提出日】令和1年8月30日(2019.8.30)
【手続補正１】
【補正対象書類名】特許請求の範囲
【補正対象項目名】全文
【補正方法】変更
【補正の内容】
【特許請求の範囲】
【請求項１】
遊技者にとって有利な有利状態に制御可能な遊技機であって、
演出表示を実行可能な演出表示手段と、
前記有利状態に制御されるときと、前記有利状態に制御されないときと、のいずれにおいても実行可能な共通演出を実行する共通演出実行手段と、を備え、
前記共通演出が実行された後に、前記有利状態に制御されること、または前記有利状態に制御されないこと、のいずれかを示唆可能であり、
前記有利状態に制御される場合は、前記共通演出が実行された後に、前記演出表示手段による演出表示を暗転させる所定演出を実行した後、前記有利状態に制御されることに対応する特定演出を実行する一方、
前記有利状態に制御されない場合は、前記共通演出が実行された後に、前記所定演出を実行しない、
ことを特徴とする遊技機。
【手続補正２】
【補正対象書類名】明細書
【補正対象項目名】０００６
【補正方法】変更
【補正の内容】
【０００６】
（Ａ）本発明の一態様による遊技機は、遊技者にとって有利な有利状態に制御可能な遊技機であって、
演出表示を実行可能な演出表示手段と、
前記有利状態に制御されるときと、前記有利状態に制御されないときと、のいずれにおいても実行可能な共通演出を実行する共通演出実行手段と、を備え、
前記共通演出が実行された後に、前記有利状態に制御されること、または前記有利状態に制御されないこと、のいずれかを示唆可能であり、
前記有利状態に制御される場合は、前記共通演出が実行された後に、前記演出表示手段による演出表示を暗転させる所定演出を実行した後、前記有利状態に制御されることに対応する特定演出を実行する一方、
前記有利状態に制御されない場合は、前記共通演出が実行された後に、前記所定演出を実行しない、
ことを特徴とする遊技機。
（１）また、他の遊技機として、遊技者にとって有利な有利状態（例えば、大当り遊技状態等）に制御可能な遊技機（例えば、パチンコ遊技機１等）であって、
演出表示を実行可能な演出表示手段（例えば、画像表示装置５等）と、
前記有利状態に制御されるときと、前記有利状態に制御されないときと、のいずれにおいても実行可能な共通演出（例えば、図２０−２（Ａ）〜（Ｅ）に示すノーマルリーチ演出からスーパーリーチ演出における決着前演出等）を実行する共通演出実行手段（例えば、演出制御用ＣＰＵ１２０等）と、を備え、
前記共通演出が実行された後に、前記有利状態に制御されること、または前記有利状態に制御されないこと、のいずれかを示唆可能（例えば、（例えば、図２０−３（Ｊ−１）に示すように、飾り図柄表示エリア５Ｌ、５Ｃ、５Ｒに「４４４」の大当り組合せを表示するか、または図２０−４（Ｉ−２）に示すように、飾り図柄表示エリア５Ｌ、５Ｃ、５Ｒに「４３４」のハズレ図柄を表示する等）であり、
前記共通演出が実行された後に、前記有利状態に制御されることを示唆する場合、前記演出表示手段による演出表示を暗転させる所定演出（例えば、図２０−３（Ｆ−１）（Ｇ−１）に示すように、画像表示装置５を一瞬暗転させる演出等）を実行した後、前記有利状態に制御されることに対応する特定演出（例えば、図２０−３（Ｈ−１）に示すように、可動役物４８ＳＨ４００が「所定位置」まで移動し、遊技効果ランプ９がレインボーに発光する演出等）を実行する、
ことを特徴とする遊技機であってもよい。
【手続補正書】
【提出日】令和1年8月30日(2019.8.30)
【手続補正１】
【補正対象書類名】特許請求の範囲
【補正対象項目名】全文
【補正方法】変更
【補正の内容】
【特許請求の範囲】
【請求項１】
普通識別情報の可変表示と、特別識別情報の可変表示と、を実行可能な遊技機であって、
遊技媒体の通過経路のうちの特定経路を通過する遊技媒体が流下可能な特定遊技領域に設けられ、遊技媒体の通過によって普通識別情報の可変表示が実行可能となる特定領域と、
前記特定遊技領域に設けられ、普通識別情報の可変表示結果にもとづいて第１所定状態から該第１所定状態よりも遊技媒体が進入し易い第２所定状態に変化可能な普通可変手段と、
前記特定遊技領域における前記特定領域の下流側に設けられ、第１特定状態から該第１特定状態よりも遊技媒体が進入し易い第２特定状態に変化可能な特別可変手段と、
前記特定領域の下流側に設けられるとともに、前記特別可変手段の上流側に設けられ、遊技媒体の進入によって普通識別情報の可変表示が実行可能となる特別領域と、
演出を制御可能な演出制御手段と、
遊技状態を制御可能な遊技状態制御手段と、
を備え、
前記演出制御手段は、前記特別領域に遊技媒体が進入したことにもとづいて特別演出を実行可能であり、
前記遊技状態制御手段は、前記特別識別情報の可変表示結果にもとづいて前記特別可変手段が前記第２特定状態に変化する有利状態に制御可能である、
ことを特徴とする遊技機。
【手続補正２】
【補正対象書類名】明細書
【補正対象項目名】０００６
【補正方法】変更
【補正の内容】
【０００６】
前記課題を解決するために、本発明の手段Ａに記載の遊技機は、
普通識別情報の可変表示と、特別識別情報の可変表示と、を実行可能な遊技機であって、
遊技媒体の通過経路のうちの特定経路を通過する遊技媒体が流下可能な特定遊技領域に設けられ、遊技媒体の通過によって普通識別情報の可変表示が実行可能となる特定領域と、
前記特定遊技領域に設けられ、普通識別情報の可変表示結果にもとづいて第１所定状態から該第１所定状態よりも遊技媒体が進入し易い第２所定状態に変化可能な普通可変手段と、
前記特定遊技領域における前記特定領域の下流側に設けられ、第１特定状態から該第１特定状態よりも遊技媒体が進入し易い第２特定状態に変化可能な特別可変手段と、
前記特定領域の下流側に設けられるとともに、前記特別可変手段の上流側に設けられ、遊技媒体の進入によって普通識別情報の可変表示が実行可能となる特別領域と、
演出を制御可能な演出制御手段と、
遊技状態を制御可能な遊技状態制御手段と、
を備え、
前記演出制御手段は、前記特別領域に遊技媒体が進入したことにもとづいて特別演出を実行可能であり、
前記遊技状態制御手段は、前記特別識別情報の可変表示結果にもとづいて前記特別可変手段が前記第２特定状態に変化する有利状態に制御可能である、
ことを特徴としている。
また、手段１に記載の遊技機として、
普通識別情報（例えば、普通図柄）の可変表示を実行可能な遊技機（例えば、パチンコ遊技機１）であって、
遊技媒体の通過経路のうちの特定経路（例えば、上方経路９６ＳＧ００２Ｃ）を通過する遊技媒体が流下可能な特定遊技領域（例えば、右遊技領域９６ＳＧ００２Ｒ）に設けられ、遊技媒体の通過によって普通識別情報の可変表示が実行可能となる特定領域（例えば、通過ゲート９６ＳＧ０４１）と、
前記特定遊技領域に設けられ、普通識別情報の可変表示結果にもとづいて非所定状態（例えば、閉鎖状態）から該非所定状態よりも遊技媒体が進入し易い所定状態（例えば、開放状態）に変化可能な普通可変装置（例えば、可変入賞装置９６ＳＧ００６Ｂ）と、
前記特定遊技領域における前記特定領域の下流側に設けられ、非特定状態（例えば、閉鎖状態）から該非特定状態よりも遊技媒体が進入し易い特定状態（例えば、開放状態）に変化可能な特別可変装置（例えば、特別可変入賞球装置９６ＳＧ００７）と、
前記特定遊技領域における前記特定領域の下流側に設けられ、遊技媒体の進入によって普通識別情報の可変表示が実行可能となる特別領域（例えば、普図始動入賞口９６Ｓｇ０４２）と、
演出を制御可能な演出制御手段（例えば、演出制御用ＣＰＵ１２０が演出制御プロセス処理を実行する部分）と、
を備え、
前記演出制御手段は、前記特別領域に遊技媒体が進入したことにもとづいて特別演出（例えば、普図始動口入賞演出や画像表示装置５における賞球数表示）を実行可能である
ことを特徴としてもよい。
この特徴によれば、特別領域への遊技媒体の進入にもとづいて特別演出が実行されるため、遊技興趣を向上できる。
【手続補正書】
【提出日】令和1年8月30日(2019.8.30)
【手続補正１】
【補正対象書類名】特許請求の範囲
【補正対象項目名】全文
【補正方法】変更
【補正の内容】
【特許請求の範囲】
【請求項１】
普通識別情報の可変表示と、特別識別情報の可変表示と、を実行可能な遊技機であって、
遊技媒体が流下可能な遊技領域に設けられ、普通識別情報の可変表示結果にもとづいて第１所定状態から該第１所定状態よりも遊技媒体が進入し易い第２所定状態に変化可能な普通可変手段と、
前記遊技領域に設けられ、特別識別情報の可変表示結果にもとづいて第１特定状態から該第１特定状態よりも遊技媒体が進入し易い第２特定状態に変化可能な特別可変手段と、
前記普通可変手段を前記第２所定状態に変化する頻度を第１頻度とする第１特別状態と、該第１頻度よりも高い第２頻度とする第２特別状態とに制御可能であるとともに、前記特別可変手段を前記第２特定状態に変化する有利状態に制御可能な、遊技状態制御手段と、
を備え、
前記遊技状態制御手段は、前記有利状態に制御しているときに前記第２特別状態に制御し、
前記特別可変手段の上流位置に、遊技媒体の進入によって普通識別情報の可変表示が実行可能となるとともに該進入した遊技媒体が該遊技領域外に排出される特別領域が設けられ、
前記特別領域の上流位置に、遊技媒体の進入によって普通識別情報の可変表示が実行可能となるとともに該進入した遊技媒体が該遊技領域外に排出されない特定領域が設けられている、
ことを特徴とする遊技機。
【手続補正２】
【補正対象書類名】明細書
【補正対象項目名】０００６
【補正方法】変更
【補正の内容】
【０００６】
前記課題を解決するために、本発明の手段Ａに記載の遊技機は、
普通識別情報の可変表示と、特別識別情報の可変表示と、を実行可能な遊技機であって、
遊技媒体が流下可能な遊技領域に設けられ、普通識別情報の可変表示結果にもとづいて第１所定状態から該第１所定状態よりも遊技媒体が進入し易い第２所定状態に変化可能な普通可変手段と、
前記遊技領域に設けられ、特別識別情報の可変表示結果にもとづいて第１特定状態から該第１特定状態よりも遊技媒体が進入し易い第２特定状態に変化可能な特別可変手段と、
前記普通可変手段を前記第２所定状態に変化する頻度を第１頻度とする第１特別状態と、該第１頻度よりも高い第２頻度とする第２特別状態とに制御可能であるとともに、前記特別可変手段を前記第２特定状態に変化する有利状態に制御可能な、遊技状態制御手段と、
を備え、
前記遊技状態制御手段は、前記有利状態に制御しているときに前記第２特別状態に制御し、
前記特別可変手段の上流位置に、遊技媒体の進入によって普通識別情報の可変表示が実行可能となるとともに該進入した遊技媒体が該遊技領域外に排出される特別領域が設けられ、
前記特別領域の上流位置に、遊技媒体の進入によって普通識別情報の可変表示が実行可能となるとともに該進入した遊技媒体が該遊技領域外に排出されない特定領域が設けられている、
ことを特徴としている。
また、手段１に記載の遊技機として、
普通識別情報（例えば、普通図柄）の可変表示と、特別識別情報（例えば、特別図柄）の可変表示とを実行可能な遊技機（例えば、パチンコ遊技機１）であって、
遊技媒体（例えば、遊技球）が流下可能な遊技領域（例えば、右遊技領域９６ＳＧ００２Ｒ）に設けられ、普通識別情報の可変表示結果にもとづいて非所定状態（例えば、閉鎖状態）から該非所定状態よりも遊技媒体が進入し易い所定状態（例えば、開放状態）に変化可能な普通可変装置（例えば、可変入賞球装置９６ＳＧ００６Ｂ）と、
前記遊技領域に設けられ、特別識別情報の可変表示結果にもとづいて非特定状態（例えば、閉鎖状態）から該非特定状態よりも遊技媒体が進入し易い特定状態（例えば、開放状態）に変化可能な特別可変装置（例えば、特別可変入賞球装置９６ＳＧ００７）と、
前記普通可変装置が前記所定状態に変化する頻度が非特別状態よりも高い特別状態（例えば、高確高ベース状態や低確高ベース状態）と、前記特別可変装置が前記特定状態に変化する有利状態（例えば、大当り遊技状態）とに制御可能な遊技制御手段（例えば、ＣＰＵ１０３が図５に示す特別図柄プロセス処理を実行する部分）と、
を備え、
前記遊技制御手段は、前記有利状態に制御しているときに前記非特別状態とし（例えば、いずれの大当り種別の大当り遊技中においても時短制御が実行されない部分）、
前記遊技領域における前記特別可変装置の上流位置には、遊技媒体の進入によって普通識別情報の可変表示が実行可能となるとともに該進入した遊技媒体が該遊技領域外に排出される特別領域が設けられている（例えば、図８−１に示すように、右遊技領域９６ＳＧ００２Ｒにおいて、特別可変入賞球装置９６ＳＧ００７の上流位置に普図始動入賞口９６ＳＧ０４２が設けられている部分）
ことを特徴としてもよい。
この特徴によれば、射幸性の上昇を抑えることができる。
【手続補正書】
【提出日】令和1年9月17日(2019.9.17)
【手続補正１】
【補正対象書類名】特許請求の範囲
【補正対象項目名】全文
【補正方法】変更
【補正の内容】
【特許請求の範囲】
【請求項１】
識別情報の可変表示を行い、遊技者にとって有利な有利状態に制御可能な遊技機であって、
識別情報の可変表示に対応して可変表示を行う装飾情報と、
識別情報の可変表示に対応して可変表示を行うとともに、前記装飾情報と異なる対応情報と、
識別情報の可変表示が開始されることに関連して特定演出を実行可能な特定演出実行手段と、を備え、
前記特定演出実行手段は、前記特定演出を前記装飾情報よりも視認性が高い状態で実行可能であり、
前記特定演出が実行される場合に、前記対応情報の可変表示は識別情報の可変表示の開始に対応して開始される一方で、前記装飾情報の可変表示は識別情報の可変表示の開始に対応して開始されない、
ことを特徴とする遊技機。
【手続補正２】
【補正対象書類名】明細書
【補正対象項目名】０００６
【補正方法】変更
【補正の内容】
【０００６】
手段Ａの遊技機は、識別情報の可変表示を行い、遊技者にとって有利な有利状態に制御可能な遊技機であって、
識別情報の可変表示に対応して可変表示を行う装飾情報と、
識別情報の可変表示に対応して可変表示を行うとともに、前記装飾情報と異なる対応情報と、
識別情報の可変表示が開始されることに関連して特定演出を実行可能な特定演出実行手段と、を備え、
前記特定演出実行手段は、前記特定演出を前記装飾情報よりも視認性が高い状態で実行可能であり、
前記特定演出が実行される場合に、前記対応情報の可変表示は識別情報の可変表示の開始に対応して開始される一方で、前記装飾情報の可変表示は識別情報の可変表示の開始に対応して開始されない、
ことを特徴とする。
さらに、手段１の遊技機は、識別情報の可変表示（例えば、特別図柄）を行い、遊技者にとって有利な有利状態（例えば、大当り状態）に制御可能な遊技機（例えば、パチンコ遊技機１）であって、
識別情報の可変表示に対応して可変表示を行う装飾情報（例えば、飾り図柄）と、
識別情報の可変表示に対応して可変表示を行うとともに、前記装飾情報とは異なる対応情報（例えば、小図柄）と、
識別情報の可変表示が開始されることに関連して特定演出（例えば、予告演出）を実行可能な特定演出実行手段（例えば、演出制御用ＣＰＵ１２０）とを備え、
前記特定演出が実行されるときに、前記対応情報の可変表示は前記識別情報の可変表示の開始に対応して開始される一方で、前記装飾情報の可変表示は前記識別情報の可変表示の開始に対応して開始されない（例えば、図８に示すように小図柄の可変表示は特別図柄の可変表示に対応して開始される一方で、予告数が２以上の飾り図柄の可変表示は特別図柄の可変表示から５００ｍｓ遅れて開始される）。
【手続補正書】
【提出日】令和1年8月30日(2019.8.30)
【手続補正１】
【補正対象書類名】特許請求の範囲
【補正対象項目名】全文
【補正方法】変更
【補正の内容】
【特許請求の範囲】
【請求項１】
演出用識別情報の変動表示を行い、遊技者にとって有利な有利状態に制御可能な遊技機であって、
前記演出用識別情報の変動表示を行い、前記演出用識別情報の変動表示結果を停止表示させる演出用変動表示手段と、
前記演出用識別情報を、第１特定態様と該第１特定態様とは異なる第２特定態様とを含む特定態様で停止表示させることにより、前記有利状態に制御されることを示唆する示唆演出を実行可能な示唆演出実行手段と、
前記示唆演出実行手段により前記示唆演出が実行されるときに、前記演出用識別情報の周囲に表示されている情報のレイアウトを変更する変更演出を実行可能な変更演出実行手段と、を備え、
前記演出用識別情報が前記第１特定態様で表示されたときは、前記第２特定態様で表示されたときよりも前記有利状態に制御される割合が高い、
ことを特徴とする遊技機。
【手続補正２】
【補正対象書類名】明細書
【補正対象項目名】０００６
【補正方法】変更
【補正の内容】
【０００６】
手段Ａの遊技機は、
演出用識別情報の変動表示を行い、遊技者にとって有利な有利状態に制御可能な遊技機であって、
前記演出用識別情報の変動表示を行い、前記演出用識別情報の変動表示結果を停止表示させる演出用変動表示手段と、
前記演出用識別情報を、第１特定態様と該第１特定態様とは異なる第２特定態様とを含む特定態様で停止表示させることにより、前記有利状態に制御されることを示唆する示唆演出を実行可能な示唆演出実行手段と、
前記示唆演出実行手段により前記示唆演出が実行されるときに、前記演出用識別情報の周囲に表示されている情報のレイアウトを変更する変更演出を実行可能な変更演出実行手段と、を備え、
前記演出用識別情報が前記第１特定態様で表示されたときは、前記第２特定態様で表示されたときよりも前記有利状態に制御される割合が高い、
ことを特徴とする遊技機。
また、手段１の遊技機として、
演出用識別情報（飾り図柄、小図柄等）の変動表示（可変表示等）を行い、遊技者にとって有利な有利状態（大当り遊技状態等）に制御可能な遊技機であって、
前記演出用識別情報の変動表示を行い、前記演出用識別情報の変動表示結果を停止表示させる演出用変動表示手段（演出制御用ＣＰＵ１２０）と、
前記演出用識別情報を特定態様で停止表示させる（青色の偶数図柄又は赤色の奇数図柄の組み合わせを停止表示させる、あるいは、有効ライン上に飾り図柄が揃っていない状態（所謂ズレ目の状態）で仮停止表示させる等）ことにより、前記有利状態に制御されることを示唆する示唆演出（先読み予告演出としてのチャンス目停止演出、実行中の可変表示の表示結果を示唆する疑似連演出等）を実行可能な示唆演出実行手段（演出制御用ＣＰＵ１２０）と、
前記示唆演出実行手段により前記示唆演出が実行されるときに、前記演出用識別情報の周囲に表示されている情報のレイアウトを変更する変更演出（例えば、図８−３（２）及び（３）に示すように、背景画像１７ＴＭ０１０を横方向に圧縮することにより背景画像１７ＴＭ０１０ａに変形させることに伴い、可変表示対応表示１７ＴＭ００２から縦方向に伸長され保留表示の表示間隔が狭められた可変表示対応表示１７ＴＭ００２ａに変化させ、アクティブ表示ガイド１７ＴＭ００４から縦方向に伸長されたアクティブ表示ガイド１７ＴＭ００４ａに変化させる演出）を実行可能な変更演出実行手段（演出制御用ＣＰＵ１２０）と、を備える、
ことを特徴とする遊技機であってもよい。
このような構成によれば、演出の効果の向上を図ることができ、興趣を向上させることができる。
【手続補正書】
【提出日】令和1年10月24日(2019.10.24)
【手続補正１】
【補正対象書類名】特許請求の範囲
【補正対象項目名】全文
【補正方法】変更
【補正の内容】
【特許請求の範囲】
【請求項１】
第一の板状部材の後面に第二の板状部材を貼り合せてなり、映像面とスピーカーを備え
た携帯電子機器の全体を収容可能な収容空間が内部に設けられ、
前記第一の板状部材の前面には、携帯電子機器のスピーカーから出力された音を前方に
向ける音用開口部と携帯電子機器の映像面を露出させる映像面用開口部が設けられ、
前記収容空間と前記音用開口部は連通し、
前記収容空間に携帯電子機器を収容した状態で、前記映像面用開口部を介して携帯電子
機器の映像面が視認可能であり、
端面に、前記収容空間に携帯電子機器を出し入れ可能とする開口部が設けられる、携帯電子機器用スタンド。
【請求項２】
前記第一の板状部材は、無垢の木材で構成される、請求項１に記載の携帯電子機器用スタンド。
【請求項３】
前記第二の板状部材は、無垢の木材で構成される、請求項１または請求項２に記載の携帯電子機器用スタンド。
【手続補正書】
【提出日】平成31年1月16日(2019.1.16)
【手続補正１】
【補正対象書類名】特許請求の範囲
【補正対象項目名】全文
【補正方法】変更
【補正の内容】
【特許請求の範囲】
【請求項１】
振動板と、
前記振動板の上方に設けられた第１電極層と、
前記第１電極層の上方に設けられた圧電体層と、
前記圧電体層の上方に設けられた第２電極層と、
前記第１電極層、前記圧電体層、及び前記第２電極層を覆うように設けられた絶縁層と、
前記絶縁層の上方に設けられ、前記第２電極層と導通する配線層と、
を備え、
前記振動板の平面視で、
前記第１電極層、前記圧電体層、及び前記第２電極層とが重なり合う部分に能動部が設けられ、
前記能動部は、長手方向と短手方向とを有し、
前記短手方向の両端において、
前記第１電極層の端は、前記配線層の端と同じ位置又は前記配線層の端よりも外側の位置に配置され、かつ前記第２電極層の端よりも外側の位置に配置され、
前記第２電極層の端は、前記配線層の端と同じ位置又は前記配線層の端よりも内側の位置に配置されている、圧電駆動装置。
【請求項２】
請求項１において、
前記長手方向の少なくとも一端において、
前記第１電極層の端は、前記配線層の端と同じ位置又は端よりも外側の位置に配置され、かつ前記第２電極層の端よりも外側の位置に配置され、
前記第２電極層の端は、前記配線層の端と同じ位置又は端よりも内側の位置に配置されている、圧電駆動装置。
【請求項３】
請求項１又は請求項２において、
前記能動部の前記長手方向の長さは、前記短手方向の長さの、１．００１倍以上１０００倍以下である、圧電駆動装置。
【請求項４】
請求項１ないし請求項３のいずれか一項に記載の圧電駆動装置と、
前記圧電駆動装置によって回転されるローターと、
を含む、モーター。
【請求項５】
複数のリンク部と、
複数の前記リンク部を接続する関節部と、
複数の前記リンク部を前記関節部で回動させる請求項１ないし請求項３のいずれか一項に記載の圧電駆動装置と、
を含む、ロボット。
【請求項６】
請求項１ないし請求項３のいずれか一項に記載の圧電駆動装置と、
液体を輸送するチューブと、
前記圧電駆動装置の駆動によって前記チューブを閉塞する複数のフィンガーと、
を含む、ポンプ。
【手続補正書】
【提出日】平成31年1月7日(2019.1.7)
【手続補正１】
【補正対象書類名】特許請求の範囲
【補正対象項目名】全文
【補正方法】変更
【補正の内容】
【特許請求の範囲】
【請求項１】
振動体と、
前記振動体から突出する突起部と、
を備え、
前記突起部は、前記突起部の突出方向に向かって断面積が大きくなる部分を有する、圧電アクチュエーター。
【請求項２】
前記突起部は前記振動体と一体である請求項１に記載の圧電アクチュエーター。
【請求項３】
複数の前記振動体が積層されている、請求項１または請求項２に記載の圧電アクチュエーター。
【請求項４】
前記突起部は台形柱である請求項１乃至請求項３のいずれか一項に記載の圧電アクチュエーター。
【請求項５】
前記突起部は角錐台である請求項１乃至請求項３のいずれか一項に記載の圧電アクチュエーター。
【請求項６】
前記突起部は円錐台である請求項１乃至請求項３のいずれか一項に記載の圧電アクチュエーター。
【請求項７】
振動体と、
前記振動体から突出する突起部と、
を備え、
前記突起部は、前記突起部の突出方向に向かって断面積が大きくなる部分を有する圧電アクチュエーター
を備える圧電モーター。
【請求項８】
振動体と、
前記振動体から突出する突起部と、
を備え、
前記突起部は、前記突起部の突出方向に向かって断面積が大きくなる部分を有する圧電アクチュエーター
を備えるロボット。
【請求項９】
振動体と、
前記振動体から突出する突起部と、
を備え、
前記突起部は、前記突起部の突出方向に向かって断面積が大きくなる部分を有する圧電アクチュエーター
を備えるハンド。
【請求項１０】
振動体と、
前記振動体から突出する突起部と、
を備え、
前記突起部は、前記突起部の突出方向に向かって断面積が大きくなる部分を有する圧電アクチュエーター
を備える送液ポンプ。
【手続補正２】
【補正対象書類名】明細書
【補正対象項目名】０００５
【補正方法】変更
【補正の内容】
【０００５】
本発明は、上述の課題を解決するためになされたものであり、以下の形態として実現することが可能である。
本発明の一形態によれば、圧電アクチュエーターが提供される。この圧電アクチュエーターは、振動体と、前記振動体から突出する突起部と、を備える。前記突起部は、前記突起部の突出方向に向かって断面積が大きくなる部分を有する。
この形態の圧電アクチュエーターによれば、突起部の消耗に応じて突起部の断面積が小さくなるので、振動体の剛性が高くなって、振動体の共振周波数が上昇し、振動体の振動特性が変化することを低減することが可能である。
その他、本発明は、以下の形態としても実現することが可能である。
【手続補正書】
【提出日】平成31年1月7日(2019.1.7)
【手続補正１】
【補正対象書類名】特許請求の範囲
【補正対象項目名】全文
【補正方法】変更
【補正の内容】
【特許請求の範囲】
【請求項１】
開口部を有している筐体と、
凸部を有し、前記筐体に収容されている振動体と、
前記振動体の質量を調整する質量調整部と、
を備えている圧電アクチュエーター。
【請求項２】
前記振動体が積層されている請求項１に記載の圧電アクチュエーター。
【請求項３】
前記凸部が突出する方向に前記振動体を付勢する付勢部を有する請求項１または請求項２に記載の圧電アクチュエーター。
【請求項４】
前記質量調整部は前記振動体の表面に配置されていて、
前記表面は前記凸部が突出する方向を向いている請求項１乃至請求項３のいずれか一項に記載の圧電アクチュエーター。
【請求項５】
前記凸部が突出する方向からの平面視で、前記開口部と前記質量調整部とが重なっている請求項１乃至請求項４のいずれか一項に記載の圧電アクチュエーター。
【請求項６】
前記振動体の駆動信号を伝達するための配線基板を有する請求項１乃至請求項５のいずれか一項に記載の圧電アクチュエーター。
【請求項７】
開口部を有している筐体と、
凸部を有し、前記筐体に収容されている振動体と、
前記振動体の質量を調整する質量調整部と、
を備えている圧電アクチュエーター
を有する圧電モーター。
【請求項８】
開口部を有している筐体と、
凸部を有し、前記筐体に収容されている振動体と、
前記振動体の質量を調整する質量調整部と、
を備えている圧電アクチュエーター
を有するロボット。
【請求項９】
開口部を有している筐体と、
凸部を有し、前記筐体に収容されている振動体と、
前記振動体の質量を調整する質量調整部と、
を備えている圧電アクチュエーター
を有するハンド。
【請求項１０】
開口部を有している筐体と、
凸部を有し、前記筐体に収容されている振動体と、
前記振動体の質量を調整する質量調整部と、
を備えている圧電アクチュエーター
を有する送液ポンプ。
【請求項１１】
（ａ）突出している形状の凸部を有する振動体と、前記凸部が突出する方向に前記振動体を付勢する付勢部と、が筐体に収容されている圧電アクチュエーターを準備する工程と、
（ｂ）前記振動体の共振周波数を測定する工程と、
（ｃ）前記工程（ｂ）で測定した共振周波数が許容範囲から外れている場合において、前記振動体の質量を調整する工程と、
を含む圧電アクチュエーターの共振周波数調整方法。
【請求項１２】
前記工程（ｃ）は、調整後の前記振動体の共振周波数を測定するステップを含む請求項１１に記載の圧電アクチュエーターの共振周波数調整方法。
【請求項１３】
前記工程（ｂ）及び前記工程（ｃ）を繰り返す請求項１１に記載の圧電アクチュエーターの共振周波数調整方法。
【請求項１４】
前記工程（ｃ）は錘を付加して質量を調整する請求項１１乃至請求項１３のいずれか一項に記載の圧電アクチュエーターの共振周波数調整方法。
【請求項１５】
前記工程（ｃ）は前記振動体またはあらかじめ付加された錘の一部を除去して前記質量を調整する請求項１１乃至請求項１３のいずれか一項に記載の圧電アクチュエーターの共振周波数調整方法。
【手続補正２】
【補正対象書類名】明細書
【補正対象項目名】０００５
【補正方法】変更
【補正の内容】
【０００５】
本発明は、上述の課題の少なくとも一部を解決するためになされたものであり、以下の形態として実現することが可能である。
本発明の一形態によれば、圧電アクチュエーターが提供される。この圧電アクチュエーターは、開口部を有している筐体と、凸部を有し、前記筐体に収容されている振動体と、前記振動体の質量を調整する質量調整部と、を備えている。
この形態の圧電アクチュエーターによれば、振動体を収容している筐体に開口部を有しているので、振動体が組み込まれた圧電アクチュエーターの状態のままでも、筐体の開口部を介して振動体の質量が調整され、振動体の共振周波数の調整が可能である。従って、作業効率の改善が図られ、コストの改善が図られた圧電アクチュエーターを提供することが可能である。
その他、本発明は、以下の形態としても実現することが可能である。
【手続補正３】
【補正対象書類名】明細書
【補正対象項目名】００３９
【補正方法】変更
【補正の内容】
【００３９】
図４は、配線層２５０による配線のパターンの例を示す説明図である。配線層２５０は、４つの配線２５１，２５２，２５３，２５４を有している。これらの配線２５１〜２５４は、固定部２２１の上から接続部２２２，２２３の上を通って振動部２１０に渡るように形成されている。第１配線２５１は、振動部２１０上で、圧電素子１１０ａ，１１０ｄ（図３Ａ，図３Ｂ）の第２電極１５０と接続される。同様に、第２配線２５２は、振動部２１０上で、圧電素子１１０ｂ，１１０ｃの第２電極１５０と接続され、第３配線２５３は、振動部２１０上で、圧電素子１１０ｅの第２電極１５０と接続され、第４配線２５４は、振動部２１０上で、圧電素子１１０ａ〜１１０ｅの第１電極１３０と接続される。また、これらの配線２５１〜２５４は、支持部２２０上で、配線基板と接続される。なお、配線２５１〜２５４は、固定部２２１上の圧電素子構造１１１とは接続されていない。
【手続補正４】
【補正対象書類名】明細書
【補正対象項目名】００５３
【補正方法】変更
【補正の内容】
【００５３】
上記圧電アクチュエーター１０では、図１に示すように、開口部７１から外部に露出している圧電振動部１００の側面（凸部２０が突出する方向に交差する側面）上に質量調整部２４が配置されている。このため、圧電アクチュエーター１０として圧電振動部１００が組み込まれた状態で圧電振動部１００の共振周波数の調整が可能である。また、組み込まれた状態の圧電振動部１００は、付勢部として機能するバネ部５３，５４によって、凸部２０が突出する方向（ｘ方向）に付勢される状態となるので、圧電アクチュエーターが被駆動体(不図示）を押圧する状態に近づけて、共振周波数の調整が可能である。従って、作業効率の改善が図られ、コストの改善が図られた圧電アクチュエーターを提供することが可能である。なお、質量調整部２４による共振周波数の調整は、以下で説明するように、質量調整部２４の配置位置及び質量調整部２４による質量の付与あるいは除去によって行われる。
【手続補正５】
【補正対象書類名】明細書
【補正対象項目名】００５４
【補正方法】変更
【補正の内容】
【００５４】
Ｂ．共振周波数の調整：
図７は、圧電アクチュエーターの共振周波数の調整手順を示す説明図である。まず、ステップＳ１１０では、調整前の圧電アクチュエーター１０（図１）を準備する。そして、ステップＳ１２０では、準備した調整前の圧電アクチュエーター１０の共振周波数の測定を実行する。